(57)【要約】【課題】  異音を低減することが可能なスライド装置用ロック装置の一例を開示する。【解決手段】  スライド装置、つまりロック装置は、閂部２２が非ロック位置からロック位置に向けて変位するときであって当該閂部２２がロック位置に到達する前に、閂部２２の変位速さを予め決められた速さ以下とする減速機能を発揮可能である。これにより仮に、閂部２２が固定レール１１と衝突した場合であっても、当該衝突時のエネルギが減速機能により小さくなる。したがって、衝突時に発生する異音が低減され得る。【選択図】  図６
2019202572.tif 000002
【特許請求の範囲】
【請求項１】
第１レール及び第２レールを有し、いずれか一方のレールが他方のレールに対してスライド可能なスライド装置に適用され、当該他方のレールが当該一方のレールに対してスライドすることを規制するためのロック装置において、
前記第１レールに設けられた被係合部に係合したロック位置と当該係合が解除された非ロック位置との間で変位可能な係合部を有するロック部材であって、前記第２レールに装着されたロック部材と、
前記係合部が前記非ロック位置から前記ロック位置に向けて変位するときであって当該係合部が前記ロック位置に到達する前に、前記係合部の変位速さを予め決められた速さ以下とする減速機能を発揮可能な減速装置と
を備えるスライド装置用ロック装置。
【請求項２】
前記係合部を前記ロック位置に保持するための弾性力を発揮する弾性部材を備え、
前記減速装置は、電気式のアクチュエータ、及び当該アクチュエータの作動を制御する制御部を有し、
前記アクチュエータは、前記係合部を前記非ロック位置側に変位させる解除力を発揮可能である請求項１に記載のスライド装置用ロック装置。
【請求項３】
前記制御部は、前記減速機能を発揮させた後、前記解除力を消失させる機能を有する請求項２に記載のスライド装置用ロック装置。
【請求項４】
前記制御部は、前記減速機能の発揮時に前記係合部を停止させる機能を有する請求項３に記載のスライド装置用ロック装置。
【請求項５】
前記被係合部は、第１貫通穴にて構成され、
前記係合部は、前記第１貫通穴を貫通可能な閂により構成され、
前記第２レールには、前記係合部が貫通可能な第２貫通穴が設けられ、
前記係合部は、前記ロック位置にある場合には、前記第１貫通穴及び前記第２貫通穴を貫通し、かつ、前記係合部が前記非ロック位置から前記ロック位置に向けて変位する際に、当該係合部は、前記第１貫通穴を貫通した後に前記第２貫通穴を貫通し、
さらに、前記制御部は、前記係合部が前記第１貫通穴を貫通する前に、前記減速機能を発揮させる機能を有する請求項４に記載のスライド装置用ロック装置。
【請求項６】
乗物用シートをスライド可能に支持するスライド装置において、
乗物に対して固定される固定レールと、
乗物用シートが固定されるとともに、前記固定レールに対してスライド可能な可動レールと、
前記可動レールに装着されたロック部材であって、前記固定レールに設けられた貫通穴を貫通可能な閂部を少なくとも１つ有するとともに、当該閂部が前記貫通穴を貫通したロック位置と当該閂部が前記貫通穴から離脱した非ロック位置との間で変位可能なロック部材と、
前記閂部を前記ロック位置に保持するための弾性力を発揮する弾性部材と、
前記閂部を前記非ロック位置側に変位させる解除力を発揮可能な電気式のアクチュエータと、
前記アクチュエータの作動を制御する制御部とを備え、
前記制御部は、前記閂部が前記ロック位置に到達する前に当該閂部の変位速さを予め決められた速さ以下とした後、前記解除力を消失させる機能を有するスライド装置。
【発明の詳細な説明】
【技術分野】
【０００１】
本開示は、例えば固定レール及び可動レールを有するスライド装置に適用され、当該可動レールのスライドを規制するためのロック装置に関する。
【背景技術】
【０００２】
例えば、特許文献１に記載のロック装置は、固定レールに設けられた被係合部に嵌り込むように係合するロック爪が可動レールに設けられている。ロック爪が被係合部と係合した状態では、可動レールのスライドが規制される。
【先行技術文献】
【特許文献】
【０００３】
【特許文献１】特開２０１５−１１６８３３号公報
【発明の概要】
【発明が解決しようとする課題】
【０００４】
可動レールのスライド後、当該可動レールが停止した位置によっては、ロック爪等の係合部が被係合部と係合することができない場合がある。当該場合においては、係合部が固定レールと衝突してしまうため、衝突音等の異音が発生する。
【０００５】
本開示は、上記点に鑑み、異音を低減することが可能なスライド装置用ロック装置の一例を開示する。
【課題を解決するための手段】
【０００６】
第１レール（１１）及び第２レール（１２）を有し、いずれか一方のレール（１１）が他方のレール（１２）に対してスライド可能なスライド装置に適用され、当該他方のレール（１２）が当該一方のレール（１１）に対してスライドすることを規制するためのロック装置（２０）においては、例えば、以下の構成要件のうち少なくとも１つを備えることが望ましい。
【０００７】
すなわち、当該構成要件は、第１レール（１１）に設けられた被係合部（２３）に係合したロック位置と当該係合が解除された非ロック位置との間で変位可能な係合部（２２）を有するロック部材（２１）であって、第２レール（１２）に装着されたロック部材（２１）と、係合部（２２）が非ロック位置からロック位置に向けて変位するときであって当該係合部（２２）がロック位置に到達する前に、係合部（２２）の変位速さを予め決められた速さ以下とする減速機能を発揮可能な減速装置（２５）とである。
【０００８】
これにより仮に、係合部（２２）が第１レール（１１）と衝突した場合であっても、当該衝突時のエネルギが減速機能により小さくなる。したがって、衝突時に発生する異音が低減され得る。
【０００９】
なお、スライド装置用ロック装置は、以下の構成であってもよい。
すなわち、係合部（２２）をロック位置に保持するための弾性力を発揮する弾性部材（２６）を備え、減速装置（２５）は、電気式のアクチュエータ（２７）、及び当該アクチュエータ（２７）の作動を制御する制御部（２８）を有し、アクチュエータ（２７）は、係合部（２２）を非ロック位置に変位させる解除力を発揮可能であることが望ましい。
【００１０】
これにより、減速装置（２５）が機械的機構により構成された場合に比べて、減速装置（２５）の実現性が向上し得る。
制御部（２８）は、減速機能を発揮させた後、解除力を消失させることが望ましい。これにより、例えば、他方のレール（１２）がスライドすると、弾性部材（２６）の弾性力により、係合部（２２）が被係合部（２３）に係合でき得る。
【００１１】
制御部（２８）は、減速機能の発揮時に係合部（２２）を停止させることが望ましい。これにより、衝突時のエネルギが小さくなるので、衝突時に発生する異音が低減され得る。
【００１２】
係合部（２２）は、第１貫通穴（２３）を貫通可能な閂により構成され、第２レール（１２）には、係合部（２２）が貫通可能な第２貫通穴（２４）が設けられ、係合部（２２）は、ロック位置にある場合には、第１貫通穴（２３）及び第２貫通穴（２４）を貫通し、かつ、係合部（２２）が非ロック位置からロック位置に向けて変位する際に、当該係合部（２２）は、第１貫通穴（２３）を貫通した後に第２貫通穴（２４）を貫通し、さらに、制御部（２８）は、係合部（２２）が第１貫通穴（２３）を貫通する前に、減速機能を発揮させることが望ましい。
【００１３】
乗物用シートをスライド可能に支持するスライド装置は、例えば、以下の構成要件のうち少なくとも１つを備えることが望ましい。
すなわち、当該構成要件は、乗物に対して固定される固定レール（１１）と、乗物用シートが固定されるとともに、固定レール（１１）に対してスライド可能な可動レール（１２）と、固定レール（１１）に設けられた貫通穴（２３）を貫通可能な閂部（２２）を少なくとも１つ有し、可動レール（１２）に装着されたロック部材（２１）であって、当該閂部（２２）が貫通穴（２３）を貫通したロック位置と当該閂部（２２）が貫通穴（２３）から離脱した非ロック位置との間で変位可能なロック部材（２１）と、閂部（２２）をロック位置に保持するための弾性力を発揮する弾性部材（２６）と、閂部（２２）を非ロック位置に変位させる解除力を発揮可能な電気式のアクチュエータ（２７）と、アクチュエータ（２７）の作動を制御する制御部（２８）とである。
【００１４】
そして、制御部（２８）は、閂部（２２）がロック位置に到達する前に当該閂部（２２）の変位速さを予め決められた速さ以下とした後、解除力を消失させることが望ましい。これにより仮に、閂部（２２）が固定レール（１１）と衝突した場合であっても、当該衝突時のエネルギが減速機能により小さくなる。したがって、衝突時に発生する異音が低減され得る。
【００１５】
因みに、上記各括弧内の符号は、後述する実施形態に記載の具体的構成等との対応関係を示す一例であり、本開示は上記括弧内の符号に示された具体的構成等に限定されるものではない。
【図面の簡単な説明】
【００１６】
【図１】第１実施形態に係る乗物用シート及びスライド装置を示す図である。
【図２】第１実施形態に係るロック部材を示す図である。
【図３】第１実施形態に係るロック部材を示す図である。
【図４】第１実施形態に係るロック部材を示す図である。
【図５】第１実施形態に係るロック装置を示す図である。
【図６】第１実施形態に係るロック装置を示す図である。
【図７】第１実施形態に係るロック装置を示す図である。
【図８】第１実施形態に係る減速蔵置を示すブロック図である。
【図９】第１実施形態に係る減速装置の作動を示すフローチャートである。
【発明を実施するための形態】
【００１７】
以下に説明する「発明の実施形態」は、本開示の技術的範囲に属する実施形態の一例を示すものである。つまり、特許請求の範囲に記載された発明特定事項等は、下記の実施形態に示された具体的構成や構造等に限定されるものではない。
【００１８】
以下、本開示の実施形態を図面と共に説明する。少なくとも符号を付して説明した部材又は部位は、「１つの」等の断りをした場合を除き、少なくとも１つ設けられている。つまり、「１つの」等の断りがない場合には、当該部材は２以上設けられていてもよい。
【００１９】
本実施形態は、車両等の乗物に搭載されるシート（以下、乗物用シートという。）に本開示に係るスライド装置及びスライド装置用ロック装置が適用された例である。各図に付された方向を示す矢印等は、各図相互の関係を理解し易くするために記載したものである。
【００２０】
したがって、本開示に係る発明は、各図に付された方向に限定されるものではない。各図に示された方向は、本実施形態に係る乗物用シートが車両に組み付けられた状態における方向である。
【００２１】
（第１実施形態）
１．乗物用シートの概要
乗物用シート１は、図１に示されるように、シートクッション３及びシートバック５等を少なくとも備える。シートクッション３は着席者の臀部を支持するための部位である。シートバック５は着席者の背部を支持するための部位である。
【００２２】
乗物用シート１は、シート幅方向一端側及びシート幅方向他端側それぞれに配置されたスライド装置１０を介して乗物に固定されている。２つのスライド装置１０は、乗物用シートをスライド可能に支持するための装置である。
【００２３】
シート幅方向一端側（本実施形態では、右端側）に配置されたスライド装置１０とシート幅方向他端側（本実施形態では、左端側）に配置されたスライド装置１０とは同一構造である。以下の説明は、シート幅方向他端側に配置されたスライド装置１０の詳細構造である。
【００２４】
２．スライド装置の構成
２．１  スライド装置の概要
スライド装置１０は、固定レール１１、可動レール１２及びロック装置２０等を少なくとも有する。固定レール１１は、乗物に対して固定される部材である。当該固定レール１１は、乗物のフロアパネル（図示せず。）に直接的又は間接的に固定される。
【００２５】
可動レール１２は、乗物用シート１が固定され、かつ、固定レール１１に対してスライド可能な部材である。つまり、乗物用シート１は、スライド装置１０を介してスライド可能に乗物に搭載される。
【００２６】
ロック装置２０は、可動レール１２が固定レール１１に対してスライドすることを規制するための装置である。本実施形態に係るスライド装置１０は、スライド駆動機構１３も有する。
【００２７】
スライド駆動機構１３は、可動レール１２を固定レール１１に対してスライド変位させるための機構である。当該スライド駆動機構１３は、駆動装置、ラック及びピニオン等を少なくとも有して構成されている。
【００２８】
駆動装置は、ピニオンを回転させる駆動力を発生する。当該駆動装置は、電動モータＭｏ及び減速機構等を有している。減速機構は、電動モータＭｏで発生した回転力を減速して出力する歯車機構である。
【００２９】
ラックは、固定レール１１内に固定された状態で当該固定レール１１の長手方向と平行な方向に延びる半径が無限大の歯車である。ピニオンは、ラックの上方側に配置されて当該ラックと噛み合う歯車である。
【００３０】
これにより、ピニオンが電動モータＭｏにより駆動されて回転すると、ピニオンはラック上を当該ラックの長手方向に移動する。このため、可動レール１２、つまり乗物用シート１が固定レール１１に対してスライド変位する。
【００３１】
なお、固定レール１１は、特許請求の範囲に記載された第１レール及び一方のレールの一例である。可動レール１２は、特許請求の範囲に記載された第２レール及び他方のレールの一例である。
【００３２】
２．２  ロック装置の詳細（図２〜図８参照）
ロック装置２０は、ロック部材２１（図２及び図３参照）、及び減速装置２５（図８参照）等を少なくとも備える。
【００３３】
＜ロック部材等＞
ロック部材２１は、少なくも１つ（本実施形態では、複数）の係合部２２が設けられている（図４参照）。各係合部２２、つまりロック部材２１は可動レール１２に装着されている。
【００３４】
ロック部材２１は、ロック位置（図５参照）と非ロック位置（図７参照）との間で変位可能である。当該ロック部材２１は、ブラケット２１Ｂを介して可動レール１２に対して揺動可能の装着されている。
【００３５】
ロック位置は、図５に示されるように、係合部２２が被係合部２３に係合した位置である。被係合部２３は、固定レール１１に設けられた貫通穴により構成されている。なお、以下の説明では、当該貫通穴、つまり被係合部２３は第１貫通穴２３と記載されている。
【００３６】
なお、第１貫通穴２３は、固定レール１１のうち可動レール１２と対向する部位に複数設けられている。それら第１貫通穴２３は、図１に示されるように、係合部２２より多い個数であって、固定レール１１の長手方向に沿って直列に並んで設けられている。
【００３７】
各係合部２２は、図５に示されるように、当該係合部２２がロック位置にあるときに、第１貫通穴２３を貫通可能な閂にて構成されている。なお、以下の説明では、各係合部２２は閂部２２と記載されている。
【００３８】
可動レール１２には、各閂部２２が貫通可能な第２貫通穴２４（図４参照）が少なくも１つ（本実施形態では、複数）設けられている。本実施形態に係る第２貫通穴２４の個数は、閂部２２の個数と同じである。そして、ロック部材２１がロック位置にある場合には、各閂部２２は、各第１貫通穴２３及び第２貫通穴２４を貫通した状態となる（図５参照）。
【００３９】
非ロック位置は、各閂部２２と各第１貫通穴２３との係合状態が解除される位置、つまり、各閂部２２が各第１貫通穴２３から離間した位置をいう（図８参照）。そして、各閂部２２が非ロック位置からロック位置に向けて変位する際には、図８→図５に示されるように、各閂部２２は、各第１貫通穴２３を貫通した後に各第２貫通穴２４を貫通してロック位置に至る。
【００４０】
なお、各閂部２２が第２貫通穴２４に突入していない位置であって、各閂部２２が非ロック位置よりロック位置に近接した位置（以下、ハーフロック位置という。）では、各閂部２２は、以下の（ａ）〜（ｃ）のいずれかに位置する（図６参照）。
【００４１】
（ａ）は、閂部２２が第１貫通穴２３に突入する直前の位置である。（ｂ）は、各閂部２２の先端が固定レール１１に接触している位置である。（ｃ）は、閂部２２が第１貫通穴２３は貫通しているが第２貫通穴２４は貫通していない位置である。
【００４２】
＜減速装置等＞
減速装置２５は、各閂部２２が非ロック位置からロック位置に向けて変位するときであって当該閂部２２がロック位置に到達する前に、各閂部２２の変位速さを予め決められた速さ以下とする減速機能を発揮可能な装置である。
【００４３】
すなわち、可動レール１２には、図４に示されるように、少なくとも１つ（本実施形態では、２つ）のバネ２６が設けられている。当該バネ２６は、各閂部２２をロック位置に保持するための弾性力を発揮する弾性部材の一例である。
【００４４】
したがって、各閂部２２が非ロック位置まで変位すると、各バネ２６が各閂部２２、つまりロック部材２１に作用させる弾性力は、ロック部材２１がロック位置にあるときに当該ロック部材２１に作用させる弾性力に比べて大きくなる。
【００４５】
したがって、各閂部２２が非ロック位置からロック位置に変位する場合においては、各閂部２２がロック位置に近づくほど、当該閂部２２の変位速さが大きくなる。つまり、閂部２２の変位速さは、各閂部２２が第１貫通穴２３及び第２貫通穴２４に突入する際の速さが最も大きくなる。
【００４６】
そこで、本実施形態に係る減速装置２５は、ハーフロック位置（本実施形態では、上記（ａ））にて各閂部２２が停止するような減速機能を実行する。そして、減速装置２５は、減速機能を発揮させた後、つまりロック部材２１の変位を停止させた後、当該ロック部材２１を変位自在な状態とする。
【００４７】
具体的には、減速装置２５は、図８に示されるように、アクチュエータ２７及び制御部２８等を少なくとも有して構成されている。アクチュエータ２７は、電磁ソレノイド、ピエゾ素子又は電動モータ等の電気式のアクチュエータである。なお、本実施形態に係るアクチュエータ２７は、電動モータである。
【００４８】
アクチュエータ２７は、各閂部２２、つまりロック部材２１を非ロック位置側に変位させる解除力を発揮可能である。具体的には、アクチュエータ２７は、ロック部材２１に設けられた操作部２１Ａ（図４参照）を押圧する力を発揮可能である。
【００４９】
制御部２８は、アクチュエータ２７の作動を制御する。当該制御部２８には、位置センサ２９の出力信号が入力されている。制御部２８は、位置センサ２９の出力信号を利用して各閂部２２の先端位置を把握してアクチュエータ２７の作動を制御する。
【００５０】
本実施形態に係る位置センサ２９は、アクチュエータ２７を構成する電動モータの回転角を示す信号を出力する。制御部２８は、当該信号を利用して各閂部２２の先端位置を演算することにより、当該先端位置を把握する。
【００５１】
本実施形態に係る制御部２８は、駆動装置の電動モータＭｏの作動も制御可能である。このため、制御部２８には、シートスライドスイッチ３０の出力信号も入力されている。
シートスライドスイッチ３０は、乗物用シート１をシート前方又はシート後方にスライド変位させるための操作部の一例である。本実施形態に係る制御部２８は、ＣＰＵ、ＲＯＭ及びＲＡＭ等を有するマイクロコンピュータにて構成されている。
【００５２】
＜スライド装置の作動概要＞
制御部２８は、乗物用シート１のスライドを制御する際に、減速装置２５の作動も併せて制御する。すなわち、着席者により、シートスライドスイッチ３０が操作されると、制御部２８は、先ず、アクチュエータ２７を稼働させて解除力をロック部材２１に作用させる。
【００５３】
制御部２８は、位置センサ２９の出力信号を利用してロック部材２１が非ロック位置まで変位したと判断したときに、シートスライドスイッチ３０の操作に従って電動モータＭｏを稼働させる。これにより、乗物用シート１、つまり可動レール１２は、シートスライドスイッチ３０の操作に従ってシート前方又はシート後方にスライド変位する。
【００５４】
制御部２８は、スライドの停止を示す信号がシートスライドスイッチ３０から出力されると、電動モータＭｏを停止させて可動レール１２のスライドを停止させた後、アクチュエータ２７の作動を制御して、ロック部材２１、つまり各閂部２２の先端を上記ハーフロック位置で停止させる。つまり、制御部２８は、各閂部２２が第１貫通穴２３を貫通する前に、減速機能を発揮させてロック部材２１の変位を停止させる。
【００５５】
制御部２８は、ロック部材２１がハーフロック位置にて停止したこと把握した後、アクチュエータ２７による解除力を消失させる。これにより、ロック部材２１、つまり各閂部２２は、各バネ２６によりロック位置に向けて押圧される。
【００５６】
次に、制御部２８は、電動モータＭｏを低速にて回転させる。当該「低速」とは、例えば、シートスライドスイッチ３０の操作に従って電動モータＭｏが回転する際の回転速より小さい回転速をいう。
【００５７】
これにより、各閂部２２の位置と各第１貫通穴２３の位置とが一致したときに、各バネ２６がロック部材２１に作用させる弾性力により、各閂部２２が第１貫通穴２３及び第２貫通穴２４を貫通し、ロック部材２１がロック位置となる。
【００５８】
制御部２８は、ロック部材２１がロック位置になったことを検知したときに、電動モータＭｏを停止させる。なお、本実施形態に係る制御部２８は、電動モータＭｏに流れる電流値が予め決められた電流値を超えたときに、ロック部材２１がロック位置になったとみなす。
【００５９】
＜作動制御の詳細＞
図９は、上記作動の概要を実施するための制御フローである。当該制御フローを実行するためのプログラム（ソフトウェア）は、ＲＯＭ等の不揮発性記憶部に予め記憶されている。なお、以下の括弧内の符号は、図９に記載された参照符号である。
【００６０】
本制御フローは、シートスライドスイッチ３０が操作されたときに起動する。シートスライドスイッチ３０が操作されると、制御部２８は、シートスライドスイッチ３０の操作に従って電動モータＭｏを稼働させる。
【００６１】
次に、制御部２８は、当該シートスライドスイッチ３０が操作されているか否か、つまり、当該シートスライドスイッチ３０の操作が終了し、スライドの停止を示す信号（以下、停止信号という。）が出力されたか否かを判断する（Ｓ１）。
【００６２】
制御部２８は、停止信号が出力されていないと判断した場合には（Ｓ１：ＮＯ）、シートスライドスイッチ３０の操作に従って電動モータＭｏを稼働させる。制御部２８は、停止信号が出力されたと判断した場合には（Ｓ１：ＹＥＳ）、電動モータＭｏを停止させて可動レール１２のスライド変位を停止させた後（Ｓ３）、アクチュエータ２７の作動を制御して、ロック部材２１を上記ハーフロック位置で停止させる（Ｓ５）。
【００６３】
次に、制御部２８は、ロック部材２１がハーフロック位置にて停止した状態でアクチュエータ２７による解除力を消失させた後、電動モータＭｏを低速にて回転させる（Ｓ７）。そして、制御部２８は、ロック部材２１がロック位置になったことを検知したときに、電動モータＭｏを停止させて可動レール１２のスライド変位を停止させる（Ｓ９）。
【００６４】
３．本実施形態に係るスライド装置の特徴
本実施形態に係るスライド装置１０、つまりロック装置２０は、閂部２２がロック位置に到達する前に、閂部２２の変位速さを予め決められた速さ以下とする減速機能を発揮可能である。これにより仮に、閂部２２が固定レール１１と衝突した場合であっても、当該衝突時のエネルギが減速機能により小さくなる。したがって、衝突時に発生する異音が低減され得る。
【００６５】
減速装置２５は、電気式のアクチュエータ２７、及び当該アクチュエータ２７の作動を制御する制御部２８を有し、アクチュエータ２７は、閂部２２を非ロック位置に変位させる解除力を発揮可能である。これにより、減速装置２５が機械的機構により構成された場合に比べて、減速装置２５の実現性が向上し得る。
【００６６】
制御部２８は、減速機能を発揮させた後、解除力を消失させる。これにより、可動レール１２がスライドすると、バネ２６が発揮する弾性力により、閂部２２が第１貫通穴２３に嵌り込むように係合でき得る。
【００６７】
制御部２８は、減速機能の発揮時に閂部２２を停止させる。これにより、衝突時のエネルギが小さくなるので、衝突時に発生する異音が低減され得る。
（その他の実施形態）
上述の実施形態に係る減速装置２５は、電気式のアクチュエータ２７を備える電気制御方式であった。しかし、本明細書に開示された発明はこれに限定されるものではない。
【００６８】
すなわち、当該発明は、例えば、粘性流体のせん断抵抗、若しくはオリフィスを粘性流体が通過する際に圧力損失を利用したダンパー装置、又は摩擦抵抗を利用したフリクションダンパー装置等にて減速装置２５が構成されていてもよい。
【００６９】
上述の実施形態に係るロック装置２０は、ロック部材２１、つまり閂２部２をロック位置に保持するバネ２６を備えていた。しかし、本明細書に開示された発明はこれに限定されるものではない。
【００７０】
すなわち、当該発明は、例えば、バネ２６が廃止され、かつ、ロック部材２１のロック位置から非ロック位置への変位、及び当該ロック部材２１の非ロック位置からロック位置への変位を行う電気式のアクチュエータを備える構成であってもよい。
【００７１】
上述の実施形態に係る減速装置２５は、上記（ａ）で定義されたハーフロック位置にて各閂部２２が停止するような減速機能を実施可能であった。しかし、本明細書に開示された発明はこれに限定されるものではない。
【００７２】
すなわち、当該発明は、例えば、（１）上記（ｂ）若しくは（ｃ）で定義されたハーフロック位置にて各閂部２２が停止するような減速機能を実施可能な構成、又は（２）ハーフロック位置にて各閂部２２が停止することなく、予め決められた変位速さ以下となる減速機能を実施可能な構成であってもよい。
【００７３】
上述の実施形態に係るロック装置２０では、ロック位置において各閂部２２が第１貫通穴２３及び第２貫通穴２４を貫通した状態になる構成であった。しかし、本明細書に開示された発明はこれに限定されるものではない。すなわち、当該発明は、例えば、第１貫通穴２３が設けられていない構成であってもよい。
【００７４】
上述の実施形態では、係合部２２は閂部にて構成され、かつ、被係合部２３は第１貫通穴２３にて構成されていた。しかし、本明細書に開示された発明はこれに限定されるものではない。すなわち、当該発明は、係合部２２は被係合部２３と係合可能であれば十分である。したがって、当該発明は、例えば、被係合部２３が凹部にて構成され、係合部２２が突起部にて構成されていてもよい。
【００７５】
上述の実施形態では、可動レール１２にロック部材２１が設けられていた。しかし、本明細書に開示された発明はこれに限定されるものではない。すなわち、当該発明は、ロック部材２１が固定レール１１に設けられ、かつ、第１貫通穴２３、つまり被係合部２３が可動レール１２に設けられた構成であってもよい。
【００７６】
上述の実施形態では、本開示に係るスライド装置及びロック装置を車両の乗物用シートに適用した。しかし、本明細書に開示された発明の適用はこれに限定されるものではなく、鉄道車両、船舶及び航空機等の乗物に用いられるシート、並びに劇場や家庭用等に用いられる据え置き型シートにも適用できる。
【００７７】
さらに、本開示は、上述の実施形態に記載された発明の趣旨に合致するものであればよく、上述の実施形態に限定されるものではない。したがって、上述した複数の実施形態のうち少なくとも２つの実施形態が組み合わせられた構成、又は上述の実施形態に示された発明の構成要件のうちいずれかが廃止された構成でもよい。
【符号の説明】
【００７８】
１… 乗物用シート  ３… シートクッション  ５… シートバック
１０… スライド装置  １１… 固定レール  １２… 可動レール
１３… スライド駆動機構  ２０… ロック装置  ２１… ロック部材
２２… 係合部、閂部  ２３… 被係合部、第１貫通穴
２４… 第２貫通穴  ２５… 減速装置  ２６… バネ
２７… アクチュエータ  ２８… 制御部  ２９… 位置センサ
３０… シートスライドスイッチ
【図１】
2019202572.tif 000003
【図２】
2019202572.tif 000004
【図３】
2019202572.tif 000005
【図４】
2019202572.tif 000006
【図５】
2019202572.tif 000007
【図６】
2019202572.tif 000008
【図７】
2019202572.tif 000009
【図８】
2019202572.tif 000010
【図９】
2019202572.tif 000011